(57)【要約】【課題】  広告主がＱＲコードから成る電子広告を用いることにより、簡単に自己ＰＲする動画や、企業等の動画ＣＭを、低コストで提供する。【解決手段】  広告主１０は、事業者２０に自己ＰＲするための広告の申込みをする。事業者のサーバ２１は、ＵＲＬとＩＤ及びパスワードを発行すると共に、ＱＲコードを自動作成して広告主に配布する。広告主は配布されたＱＲコードを用いて自己ＰＲ等を行う動画を携帯電話機１１で撮影し、この動画を事業者のサーバ２１にメールにてアップロードする。また、広告主が雑誌に投稿する場合、ＱＲコード３１とタイトル３２を入稿すれば、出版元４０によって出版物４１も得ることができる。【選択図】      図１
2007279791.tif 000002
【特許請求の範囲】
【請求項１】
広告主より提供された広告作成のための素材情報を事業者に入力し、この素材情報をもとに電子広告を作成し、通信ネットワークを介して利用者に電子広告を提供する電子広告システムであって、
電子広告を作成するためのデータを保存するための情報として記憶するデータベース手段と、
素材情報に関する情報を入力し、この情報を前記データベース手段に格納する情報登録手段と、
素材情報を入力し、この素材情報から動画に関する情報を抽出し、この動画情報を前記データベース手段に格納する動画情報登録手段と、
データベース手段に格納されている情報を用いて電子広告を作成し、この電子広告を利用者が通信ネットワークを介して取得可能に保存する電子広告作成手段と、
を備えたことを特徴とする電子広告提供システム。
【請求項２】
広告主が広告管理事業者のサーバに広告の申込みをすると、該サーバは、広告主に専用のＵＲＬとＩＤ及びパスワードを発行すると共に、動画ファイル変換してＱＲコードを作成し、広告主に配布することを特徴とする請求項１に記載の電子広告提供システム。
【請求項３】
上記サーバにより作成されたＱＲコードと、タイトルを入稿して、広告コンテンツを印字出版することを特徴とする請求項１又は２に記載の電子広告提供システム。
【請求項４】
上記事業者のサーバは、通信ネットワークを介してデータの送受信を行うための送受信部、該送受信部から受け取ったデータの処理を行う中央演算処理部、データを記憶するための記憶部、および前記中央演算処理部との入出力を行う入出力部を有することを特徴とする請求項１、２又は３に記載の電子広告提供システム。                                                       
【請求項５】
上記事業者のサーバの中央演算処理部は、送受信部との間でデータの受け渡しを行う送受信処理手段、入力部あるいは表示部とデータの受け渡しを行う入出力手段、このサービスの利用者に関する情報を登録する利用者情報登録手段、広告主に関する情報を登録する広告主情報登録手段、入力手段を介して入力される広告に掲載するための動画情報を入力する動画情報入力手段、保存されている動画情報を用いて電子広告を作成する電子広告作成手段、作成後の電子広告を更新する電子広告更新手段、および利用者の電子広告へのアクセス情報を記録しアクセス要求に対応する処理を実行する利用者アクセス情報登録手段を有していることを特徴とする請求項１、２、３又は４に記載の電子広告提供システム。
【請求項６】
上記サーバの記憶部は、上記広告主の情報を保存する広告主情報データベース、利用者の情報を保存する利用者情報データベース、利用者からの利用者情報を保存する利用者情報データベース、動画電子広告データを保存する動画電子広告データベースおよび利用者のアクセス履歴を保存するアクセス履歴テーブルを有していることを特徴とする請求項１、２、３，４又は５に記載の電子広告提供システム。
【発明の詳細な説明】
【技術分野】
【０００１】
本発明は、電子広告提供システムに係り、特に広告主からのＱＲ（ＱｕｉｃｋＲｅｓｐｏｎｓｅ）コードを用いた電子広告提供システムに関する。
【背景技術】
【０００２】
近年、インターネットなどの通信ネットワークの普及により、宣伝広告媒体をホームページに掲載したり、電子メールにより通知する方法が提案されている。しかし、チラシ情報に情報コードを付して情報を提案するという方法は、そのチラシを入手できる者にとっては有効であるが、そのチラシを入手できない者にとっては情報にアクセスすることができず有効でない。  
【０００３】
上記の問題点に鑑み、特許文献１に記載の「電子広告提供システム」が提案されている。この特許文献１の電子広告提供システムは、広告主より提供された広告作成のための素材情報を入力し、この素材情報をもとに電子広告を作成し、通信ネットワークを介して利用者に電子広告を提供する電子広告システムであって、電子広告を作成するためのデータを長期的に保存するための長期情報又は短期的に保存するための短期情報として記憶する商品データベースと、商品に関する長期情報を入力し、この長期情報を商品データベースに格納する長期情報登録手段と、素材情報を入力し、この素材情報から商品に関する短期情報を抽出し、この短期情報を商品データベースに格納する短期情報登録手段と、動画データベースに格納されている長期情報および短期情報を用いて電子広告を作成し、この電子広告を利用者が通信ネットワークを介して取得可能に保存する電子広告作成手段とを備えたことを特徴とする。                            
【特許文献１】特開２００４−１７８１１１号公報
【発明の開示】
【発明が解決しようとする課題】
【０００４】
上記特許文献１の電子広告提供システムでは、広告主から送られて来た素材情報に基づいて、事業者が電子広告を作成するため、コストが高くなる。また、電子広告の作成と、電子広告の閲覧にパソコン（端末機）を必要とするため、システムが大掛かりになって、手軽に電子広告の作成依頼および閲覧ができない。さらに、静止画の電子広告であって、動画（ムービー）は困難であると共に、動画にするとコストが高くなる。といった各種問題がある。
【０００５】
本発明は、上記の問題点に鑑みなされたもので、その目的は、広告主がＱＲコードから成る電子広告を用いることにより、簡単に自己ＰＲする動画や、企業等の動画ＣＭを、低コストで提供することである。
【課題を解決するための手段】
【０００６】
上記目的を達成するために、請求項１の発明は、広告主より提供された広告作成のための素材情報を事業者に入力し、この素材情報をもとに電子広告を作成し、通信ネットワークを介して利用者に電子広告を提供する電子広告システムであって、電子広告を作成するためのデータを保存するための情報として記憶するデータベース手段と、素材情報に関する情報を入力し、この情報を前記データベース手段に格納する情報登録手段と、素材情報から動画に関する情報を抽出し、この動画情報を前記データベース手段に格納する動画情報登録手段と、データベース手段に格納されている情報を用いて電子広告を作成し、この電子広告を利用者が通信ネットワークを介して取得可能に保存する電子広告作成手段とを備えたことを特徴とする。
【０００７】
請求項２の発明は、広告主が広告管理事業者のサーバに広告の申込みをすると、該サーバは、広告主に専用のＵＲＬとＩＤ及びパスワードを発行すると共に、動画ファイル変換してＱＲコードを作成し広告主に配布することを特徴とする。
【０００８】
請求項３の発明は、上記サーバにより作成されたＱＲコードと、タイトルを入稿して、広告コンテンツを印字出版することを特徴とする。
【０００９】
請求項４の発明は、上記事業者のサーバは、通信ネットワークを介してデータの送受信を行うための送受信部、該送受信部から受け取ったデータの処理を行う中央演算処理部、データを記憶するための記憶部、および前記中央演算処理部との入出力を行う入出力部を有することを特徴とする。
【００１０】
請求項５の発明は、上記事業者のサーバの中央演算処理部は、送受信部との間でデータの受け渡しを行う送受信処理手段、入力部あるいは表示部とデータの受け渡しを行う入出力手段、このサービスの利用者に関する情報を登録する利用者情報登録手段、広告主に関する情報を登録する広告主情報登録手段、入力手段を介して入力される広告に掲載するための動画情報を入力する動画情報入力手段、保存されている動画情報を用いて電子広告を作成する電子広告作成手段、作成後の電子広告を更新する電子広告更新手段、および利用者の電子広告へのアクセス情報を記録しアクセス要求に対応する処理を実行する利用者アクセス情報登録手段を有していることを特徴とする。
【００１１】
請求項６の発明は、上記サーバの記憶部は、上記広告主の情報を保存する広告主情報データベース、利用者の情報を保存する利用者情報データベース、利用者からの利用者情報を保存する利用者情報データベース、動画電子広告データを保存する動画電子広告データベースおよび利用者のアクセス履歴を保存するアクセス履歴テーブルを有していることを特徴とする。
【発明の効果】
【００１２】
本発明によれば、ユーザ（広告主）が携帯電話機のカメラでムービー録画し、指定のＵＲＬとＩＤ及びパスワードでアップロードして事前に作成した専用のＱＲコードを利用し、自社等の雑誌やネット広告スペースを用意するため、低コストにてどのユーザにも宣伝のスペースを確保することができる。それにより広告代理店は、企業だけでなく一般の個人ユーザでも動画ＣＭをアピールすることができる。
【発明を実施するための最良の形態】
【００１３】
以下に、本発明の電子広告提供システムについて、図面を参照しながら説明すると、図１は本発明の電子広告提供システムの原理図であって、図１において、１０は広告主、２０は広告代理店等の事業者、３０はＱＲコード化されたＱＲコードデータ３１とタイトル３２を含む情報媒体、４０は出版物４１を発行する出版元である。
【００１４】
ユーザである広告主１０が、メール、電話、手紙などにより、広告代理店等の事業者２０に広告掲載の申込みをする。管理会社である事業者２０が広告主１０に対して申込み専用のメールアドレスを発行する。広告主１０が広告主端末である携帯電話機１１のカメラを用いて個人商店や自己ＰＲ等の動画ムービー（以下、動画という）を録画し、更に動画ファイルの公開期限を設定すると共に、サイト上から変更、削除を行った後、この動画ファイルを携帯電話機１１のメールにて指定された専用メールアドレスを用いて事業者２０のサーバ２１にアップロードする。事業者２０では、サーバ２１の変換機能を用いて送られて来た動画ファイルを携帯各社それぞれに対応したファイル形式に変換して、サーバ２１に格納する。
【００１５】
事業者２０のサーバ２１は動画ファイルに関するＱＲ２次元コード（以下、ＱＲコードという）を自動作成し、このＱＲコードと作成した動画ファイルをメールに添付して広告主指定のメールアドレスへ返信するか、若しくは広告主指定のサーバへＦＴＰでアップする。メールアドレスにするかサーバにアップするかは申し込み時に選択する。
【００１６】
具体的には、動画ファイルを広告主１０自身が使用する場合は、事業者２０は広告主１０にＱＲコードとＵＲＬを配布し、広告主１０が雑誌に投稿する場合は、事業者２０または広告主１０は、ＱＲコードデータ３１とタイトル３２を出版元４０に入稿し、その後、出版元４０により出版される。利用者は、携帯電話機を用いてＱＲコード、ＵＲＬからサイトへアクセスすると、ムービーコンテンツがアップされているため、利用者はそこから動画を閲覧して、広告内容を確認することができる。
【００１７】
事業者２０のサーバ２１は携帯用動画ファイル変換サービスを行う。携帯用動画ファイル変換サービスに関して、利用者は指定のＵＲＬとＩＤ及びパスワードでアクセスすることにより、動画ファイルをメールに添付して送信する。送られてきた動画ファイルはキャリアに対応したファイル形式に変換され、当該動画ファイルをメール添付して指定のメールアドレスへ送信、若しくは指定のサーバへＦＴＰでアップする。
【００１８】
携帯用動画ファイル変換サービスの特徴は、ＭＰＧ或いはＡＳＰを利用した３ＧＰＰ，３ＧＰＰ２，ＡＭ，ＪＰＥＧ（サムネイル用静止画）変換サービスであり、新機種にも対応できることであり、１つの添付ファイルから、携帯の各端末に適するファイル形式に自動的に変換する。また、メールによる受信だけでなく、指定のサーバ内に変換した全てのファイルを自動で格納させることができ、大量のファイルを扱う場合でも管理がしやすく、大量の変換も容易になる。
【００１９】
図２は本発明の実施例による電子広告提供システムの概略構成図であって、事業者２０のサーバ２１は、インターネット等の通信ネットワーク５０を介して利用者６０の端末装置（以下利用者端末）である携帯電話機６１および広告主１０の端末装置（以下広告主端末）である携帯電話機２１と繋がっている。ここで、事業者２０のサーバ２１は通信システムを介して提供、配信する電子広告を作成するための情報（以下素材情報）を広告主１０から供給を受け、それをもとに電子広告を作成し、利用者に提供するというサービスを行っている。なお、通常、利用者端末と広告主端末は複数存在する。
【００２０】
事業者２０のサーバ２１は、通信ネットワーク５０を介してデータの送受信を行うための送受信部２２、送受信部２２から受け取ったデータの処理を行う中央演算処理部２３との入出力を行う入出力部２５、入力部２６および表示部２７から構成されている。
【００２１】
事業者２０のサーバ２１の中央演算処理部２３は、図３に示すように、送受信部２２との間でデータの受け渡しを行う送受信処理手段、入力部あるいは表示部とデータの受け渡しを行う入出力手段、このサービスの利用者に関する情報を登録する利用者情報登録手段、広告主に関する情報を登録する広告主情報登録手段、入力手段を介して入力される広告に掲載するための画像情報を入力する画像情報入力手段、保存されている画像情報を用いて電子広告を作成する電子広告作成手段、作成後の電子広告を更新する電子広告更新手段、利用者の電子広告へのアクセス情報を記録しアクセス要求に対応する処理を実行するアクセス登録手段、および更新情報送信手段を有している。            
【００２２】
また、図４に示すように、サーバ２１の記憶部２４は、広告主１０の情報を保存する広告主情報データベース、利用者の情報を保存する利用者情報データベース、利用者からの利用者情報を保存する利用者情報データベース、動画電子広告データを保存する動画電子広告データベースおよび利用者のアクセス履歴を保存するアクセス履歴テーブルを有している。
【００２３】
図２に示す広告主端末である携帯電話機１１は、通信ネットワーク５０を介してデータ送受信を行う送受信手段、送受信手段からのデータの処理を行う演算処理手段、演算処理手段との間でデータの入出力を行う入出力手段および表示手段を有している。また、利用者６０の端末装置である携帯電話機６１も、通信ネットワーク５０を介してデータの送受信を行うための送受信手段により受け取ったデータの処理を行う演算処理手段、データを記憶するための記憶手段、および、演算処理手段との間でデータの入出力を行う入力手段、および、演算処理手段との間でデータの入力を行う入力手段と表示部を有する。
【００２４】
利用者登録段階として、このサービスの一方の利用者側の住所、氏名、利用者ＩＤ、パスワード、電子メールアドレス等の利用者に関する情報を事業者２０のサーバ２１の記憶部２４に登録する。電子広告作成段階で、記憶部２４に保存されている動画の動画データを抽出し、その広告主の動画紹介のホームページを作成し、記憶部２４へ保存する。
【００２５】
利用者６０のアクセス情報は記憶部のアクセス履歴テーブルに保存される。なお、通常、利用者登録段階は、新たな利用者が加入する度に実行され、変動情報において、チラシ等により情報を入力するときに実行される。広告作成段階は、基本情報、変動情報、固有情報が設定、削除、変更になるごとに実行される。また、広告提供段階は、利用者や広告主からアクセスがあるごとに実行される。
【００２６】
以下、電子広告提供システムの動作を説明すると、利用者情報登録段階として、利用者６０は、利用者端末６１を通して、電子広告提供サービスを受けるための登録をする。利用者端末６１から送信された利用者情報は、通信ネットワーク５０を介して事業者２０のサーバ２１の送受信部により受信され、中央演算処理部２３の送受信処理手段を通して利用者情報登録手段に渡される。利用者情報登録手段は、利用者ＩＤの発行等、登録に必要な処理を行い、利用者情報を記憶部２４の利用者情報データベースに保存する。利用者情報データベースに保存されている利用者情報の一例として、パスワード、利用者住所、電話番号、電子メールアドレスなどがある。
【００２７】
広告主１０は、広告主端末である携帯電話機１１を通して、電子広告作成サービスを受けるための登録を行う。広告主端末１１から送信された広告主情報は、サーバ２１の中央演算処理部２３の広告主情報登録手段により登録され、広告主端末１１から送信された電子広告主情報は、広告主情報登録手段により処理され、このサービスを受けるために必要な情報が記憶部２４の広告主情報データベースに保存される。広告主情報登録手段に保存されている広告主情報の一例として、広告主ＩＤパスワード、業種、会社名、代表者、担当者、住所、電話番号、電子メールアドレスなどである。
【００２８】
広告主１０は、電子広告の内容、例えば動画情報を変更する場合、広告主端末１１から更新情報を送信する。サーバ２１は、この更新情報を受信すると、電子広告更新手段が起動される。電子広告更新手段は、起動されると、受信データから送信元である広告主１０と更新対象の動画情報を抽出する。そして、動画データベースの該当項目を変更し、続いてＨＰデータベースの該当する項目も更新する。これにより、利用者に提供される電子広告の内容も更新される。ＨＰ用データベースのコンテンツの作り方として、画像情報についてはこの動画データベースにリンクを張るようにすれば、動画データベースの変更に伴い自動的に電子広告の内容も変更される。
【００２９】
図５は、端末装置として携帯電話機を用いた新規携帯サイトの構築における動画閲覧フローであって、ステップＳ１で事業者１０の携帯電話機１１で設定されたＱＲコードデータは、ＱＲコード作成ソフトによりＱＲコード化されＱＲコード３１が生成される。このＱＲコード３１は、事業者２０に送信され、ステップＳ２でＱＲコード３１からアクセスしたページには、トップコメント、店舗紹介、店舗ＨＰ、お知らせ等の情報が表示されると共に、広告スペースや問い合わせ覧が形成される。この場合、ＱＲコード３１からアクセスしたページには設定された数の動画ファイルのタイトルが表示される。また、動画再生へのリンクは携帯電話機の機種を自動判別してファイルへリンクする。ステップＳ３で事業者２０における表示画面に店舗紹介動画が生成される。店舗紹介画面は利用者６０にダウンロードされ確認画面に変換される。ステップＳ４でダウンロード確認画面では再生の可否を表示し、可（ＹＥＳ）をクリックすると、ステップＳ５で画面で動画が表示される。
【００３０】
図６は、新規携帯サイトの構築にあたっての動画登録フローを示し、図６に示すように、ステップＳ６で広告主１０の携帯端末としての携帯電話機１１では、広告主ＩＤ、パスワードおよびログインが設定される。動画画面には広告スペースと問い合わせコメントスペースが設けられている。ステップＳ７で動画画面のログインは事業者２０に送信される。動画画面では会員メニューに対してコメント入力され、動画登録および修正、削除が実行されると共に、問い合わせコメントが可能である。ステップＳ８で、動画画面の入力されたコメントは修正、削除され、動画情報は管理サーバの管理画面に伝送される。ステップＳ９で修正、削除された情報を基に、例えば店舗紹介としての動画が生成されると共に、広告スペースと問い合わせスペースが形成される。ステップＳ１０で事業者の動画画面において登録された動画は撮影後にメール７０に添付され利用者６０に送信される。広告主１０の携帯電話機１１では、公開期限を設定すると共に、設定されたファイルをサイト上から変更、削除が可能であり、ＱＲコードからのアクセス数を閲覧可能にする。
【００３１】
管理画面での実装予定機能としては、  広告主の新規登録、修正、削除、アクセス数の集計、管理画面からのＱＲコードの発行、動画の自動変換、広告主へのメール一斉配信機能、動画ファイル管理機能（管理画面から再生、チェックが可能）およびページ管理機能（新規作成、修正、削除）が可能である。
【００３２】
図７は、新規携帯サイトの構築にあたっての動画閲覧フローの他の例を示すもので、図７に示すように、ステップＳ１１で広告主１０の携帯電話機１１によって生成されたＱＲコードデータ３１は、様々な方法でサイトへ誘導される。ステップＳ１２で、モバイルサイトの端末装置は誘導されたＱＲコードデータ３１を基にその動画画面に種々のコンテンツを表示する。動画コンテンツは事業者２０にダウンロードされ、ステップＳ１３で動画コンテンツ再生画面に動画ＣＭが表示される。ここで再生（ＹＥＳ）をクリックすれば、ステップＳ１４で利用者６０の携帯電話機６１に転送され、ステップＳ１４で動画コンテンツ再生画面に動画が表示される。ＱＲコード、ＵＲＬからサイトへアクセスすると、ムービーコンテンツがアップされており、ユーザである利用者はそこからムービーを閲覧することが可能である。
【００３３】
図８は新規携帯サイトの構築における動画登録フローを示し、サイトから広告主管理ページに入り、そこからムービーをアップする流れになる。ステップＳ１５で広告主１０の管理サイトにおいて動画画面にはサイトトップと問い合わせコメントおよび利用規約が表示される。ステップＳ１６で動画コンテンツの撮影を行い、ステップＳ１７に進み、撮影された動画コンテンツをメール７０に添付してモバイルサイト８０に送信する。
【００３４】
要約すると、本発明においては、次のような実施の態様が得られる。
（１）  ユーザ（広告主）が、メール、電話、手紙などにより、広告代理店等の事業者（以下当業者という）に広告掲載の申込みをする。
（２）  事業者が広告主に対して申込み専用のＵＲＬとＩＤ及びパスワードを発行する。
（３）  広告主が携帯電話機のカメラを用いて個人商店や自己ＰＲ等の動画ムービー（以下動画という）を録画し、更に動画ファイルの公開期限を設定すると共に、サイト上から変更、削除を行った後、この動画ファイルを携帯電話機のメールにて指定されたメールアドレスを用いて管理会社である事業者のサーバにアップロードする。
（４）  事業者では、サーバの変換機能を用いて送られて来た動画ファイルを携帯各社に夫々対応したファイル形式に変換して、サーバに格納する。
（５）  事業者のサーバは動画ファイルに関するＱＲ２次元コード（以下ＱＲコードという）を自動作成し、このＱＲコードと作成した動画ファイルをメールに添付して広告主指定のメールアドレスへ返信するか、若しくは広告主指定のサーバへＦＴＰでアップする。メールアドレスにするかサーバにアップするかは、申込み時に選択する。
（６）  具体的には、動画ファイルを広告主自身が使用する場合は、事業者は広告主にＱＲコードとＵＲＬとＩＤ及びパスワードを配布し、広告主が雑誌に投稿する場合は、事業者又は広告主はＱＲコードとタイトルを出版元に入稿し、その後、出版される。
（７）  利用者は携帯電話機を用いてＱＲコード、ＵＲＬからサイトへアクセルすると、ムービーコンテンツがアップされているため、利用者はそこから動画を閲覧して、広告内容を確認することができる。
【図面の簡単な説明】
【００３５】
【図１】本発明の実施例による電子広告提供システムの概略構成を示すブロック図。
【図２】本発明の実施例による電子広告提供システムの概略構成図。
【図３】図２における中央演算処理部の構成要素の説明図。
【図４】図２における記憶部の構成要素の説明図。
【図５】本発明の実施例による電子広告提供システムにおける新規携帯サイトの動画閲覧フロー図。
【図６】本発明の実施例による電子広告提供システムにおける新規携帯サイトの動画登録フロー図。
【図７】本発明の実施例による電子広告提供システムにおける新規携帯サイトの動画閲覧フロー図。
【図８】本発明の実施例による電子広告提供システムにおける新規携帯サイトの動画登録フロー図。
【符号の説明】
【００３６】
１０          広告主
１１          広告主端末
２０          事業者
２１          サーバ
２２          送受信部
２３          中央演算処理部
２４          記憶部
２５          入出力部
２６          入力部
２７          表示部
３０          情報媒体
３１          ＱＲコードデータ
３２          タイトル
４０          出版元
４１          出版物
５０          利用者
６１          利用者端末
【図１】
2007279791.tif 000003
【図２】
2007279791.tif 000004
【図３】
2007279791.tif 000005
【図４】
2007279791.tif 000006
【図５】
2007279791.tif 000007
【図６】
2007279791.tif 000008
【図７】
2007279791.tif 000009
【図８】
2007279791.tif 000010